(57)【要約】  本発明は複数の視野方向に対して個別画像を同一画面上に表示する表示パネルと、１つの視野方向に対して第１の検査画像を、別の視野方向に対して第２の検査画像を、前記表示パネルに表示させる表示制御手段と、を備えることを特徴とする表示装置、その検査方法およびその製造方法である。本発明によれば、クロストーク検査、確認、調整を簡単に行うことができ、検査工数、確認工数や調整工数（製造工数）を削減することができる。【特許請求の範囲】
【請求項１】
複数の視野方向に対して個別画像を同一画面上に表示する表示パネルと、
１つの視野方向に対して第１の検査画像を、別の視野方向に対して第２の検査画像を、前記表示パネルに表示させる表示制御手段と、を備えることを特徴とする表示装置。
【請求項２】
前記表示制御手段は、所定の条件が満たされた場合、前記表示パネルに前記第１の検査画像および前記第２の検査画像を表示させることを特徴とする請求項１記載の表示装置。
【請求項３】
操作手段を備え、
前記表示制御手段は、前記操作手段に対し予め定められた入力操作がなされたとき、前記所定の条件が満足されたと判断することを特徴とする請求項２記載の表示装置。
【請求項４】
前記第１の検査画像は単色画像であり、
前記第２の検査画像は前記第１の確認画像とは異なる単色画像であることを特徴とする請求項１記載の表示装置。
【請求項５】
前記第１の検査画像は黒色単色画像であり、
前記第２の検査画像は白色単色画像であることを特徴とする請求項４記載の表示装置。
【請求項６】
前記第１の検査画像はナビゲージョン装置から出力されるナビゲーション画像であり、
前記第２の検査画像は前記ナビゲージョン画像とは異なる画像であることを特徴とする請求項１記載の表示装置。
【請求項７】
前記第１の検査画像は単色画像であり、
前記第２の検査画像は前記単色画像上に前記単色画像とは異なる色の図形が重畳された画像であることを特徴とする請求項１記載の表示装置。
【請求項８】
前記第１の検査画像は単色画像であり、
前記第２の検査画像は３原色の各単色画像が順次切り替わる画像であることを特徴とする請求項１記載の表示装置。
【請求項９】
前記表示制御手段は、所定の条件が満たされた場合、検査メニュー画像を表示し、選択されたメニューに基づいて前記第１の検査画像および前記第２の検査画像を表示することを特徴とする請求項１記載の表示装置。
【請求項１０】
複数の視野方向に対して個別画像を同一画面上に表示する表示パネルと該表示パネルと接続される本体部とを具備する表示装置の前記表示パネルの１つの視野方向に対して第１の検査画面を、別の視野方向に対して第２の検査画面を表示するステップと、
前記１つの視野方向から表示状態を検査するステップと、
前記別の視野方向から表示状態を検査するステップと、を有する表示装置の検査方法。
【請求項１１】
複数の視野方向に対して個別画像を同一画面上に表示する表示パネルと該表示パネルと接続される本体部とを具備する表示装置の前記表示パネルの１つの視野方向に対して第１の確認画像を、別の視野方向に対して第２の確認画像を表示するステップと、
前記１つの視野方向から表示状態を確認するステップと、
前記別の視野方向から表示状態を確認するステップと、を有する表示装置の製造方法。
【請求項１２】
複数の視野方向に対して個別画像を同一画面上に表示する表示パネルの１つの視野方向に対して第１の検査画像を、別の視野方向に対して第２の検査画像を表示するステップと、
前記１つの視野方向から表示状態を検査するステップと、
前記別の視野方向から表示状態を検査するステップと、を有する表示パネルの検査方法。
【請求項１３】
複数の視野方向に対して個別画像を同一画面上に表示する表示パネルの１つの視野方向に対して第１の確認画像を、別の視野方向に対して第２の確認画像を表示するステップと、
前記１つの視野方向から表示状態を確認するステップと、
前記別の視野方向から表示状態を確認するステップと、を有する表示パネルの製造方法。
【発明の詳細な説明】
【技術分野】
【０００１】
本発明は、表示装置、その検査方法およびその製造方法並びに表示パネルの検査方法および製造方法に関し、特に表示パネルを有する表示装置、その検査方法およびその製造方法、並びにその表示パネルの検査方法および製造方法に関する。
【背景技術】
【０００２】
共通の表示画面上で異なる方向からそれぞれ異なる画像を視認できる、いわゆるマルチビューディスプレイ表示装置としては、例えば、液晶パネルの前に視差バリアを設けたマルチビューディスプレイ表示パネルの液晶パネルの１ピクセルごとにバックライトからの光の進行方向を振り分けることで、左右において異なる情報（画像）を表示できるものが知られている（例えば、特許文献１等参照）。このようなマルチビューディスプレイ表示装置を車両に搭載することにより、運転者がナビゲーション画像を観ている間に助手席の搭乗者がテレビ等の他の画像を観ることが可能となる。
【特許文献１】特開２００５−７８０８０号公報
【発明の開示】
【発明が解決しようとする課題】
【０００３】
マルチビューディスプレイ表示パネルまたはマルチビューディスプレイ表示装置の製造の際、マルチビューディスプレイ表示パネルまたはマルチビューディスプレイ表示装置を出荷する際、メンテナンスする際に、様々な検査、確認、調整を行うことが求められている。例えば、視差バリアを有するマルチビューディスプレイ表示パネルにおいては、視差バリアの組立不良により輝度の低下が生じる、またはクロストークが大きくなる場合がある。そこで、このような不良を検出し、調整する検査、確認、調整を簡単に行うことができ、検査工数、確認工数や調整工程（製造工程）を少なくすることが求められる。【０００４】
本発明は、上記に鑑み、マルチビューディスプレイ表示パネル、マルチビューディスプレイ表示パネルを有する表示装置のクロストーク検査、確認、調整を簡単に行うことができ、検査工数、確認工数や調整工数（製造工数）を削減することが可能な表示装置、その検査方法およびその製造方法並びにその表示パネルの検査方法および製造方法を提供することを目的とする。
【課題を解決するための手段】
【０００５】
本発明は、複数の視野方向に対して個別画像を同一画面上に表示する表示パネルと、１つの視野方向に対して第１の検査画像を、別の視野方向に対して第２の検査画像を、前記表示パネルに表示させる表示制御手段と、を備えることを特徴とする表示装置である。本発明によれば、マルチビューディスプレイのクロストーク検査、確認、調整を簡単に行うことができ、検査工数、確認工数や調整工数（製造工数）を削減することができる。【０００６】
本発明は、前記表示制御手段は、所定の条件が満たされた場合、前記表示パネルに前記第１の検査画像および前記第２の検査画像を表示させることを特徴とする表示装置とすることができる。また、本発明は、操作手段を備え、前記表示制御手段は、前記操作手段に対し予め定められた入力操作がなされたとき、前記所定の条件が満足されたと判断することを特徴とする表示装置とすることができる。本発明によれば、誤動作を防止することができる。【０００７】
本発明は、前記第１の検査画像は単色画像であり、前記第２の検査画像は前記第１の検査画像とは異なる単色画像であることを特徴とする表示装置とすることができる。本発明は、前記第１の検査画像は黒色単色画像であり、前記第２の検査画像は白色単色画像であることを特徴とする表示装置とすることができる。本発明によれば、簡単にクロストーク検査、確認、調整を行うことができる。【０００８】
本発明は、前記第１の検査画像はナビゲージョン装置から出力されるナビゲーション画像であり、前記第２の検査画像は前記ナビゲージョン画像とは異なる画像であることを特徴とする表示装置とすることができる。本発明によれば、表示装置が、実際に使用される画像に近い画像でクロストーク検査、確認、調整を行うことができる。【０００９】
本発明は、前記第１の検査画像は単色画像であり、前記第２の検査画像は前記単色画像上に前記単色画像とは異なる色の図形が重畳された画像であることを特徴とする表示装置とすることができる。本発明によれば、クロストーク検査、確認、調整が容易となる。【００１０】
本発明は、前記第１の検査画像は単色画像であり、前記第２の検査画像は３原色の各単色画像が順次切り替わる画像であることを特徴とする表示装置とすることができる。本発明によれば、各原色毎のクロストーク検査、確認、調整を行うことができる。【００１１】
本発明は、前記表示制御手段は、所定の条件が満たされた場合、検査メニュー画像を表示し、選択されたメニューに基づいて前記第１検査画像および前記第２検査画像を表示することを特徴とする表示装置とすることができる。本発明によれば、検査メニューにより、簡単にクロストーク検査、確認、調整を行うことができる。【００１２】
本発明は、複数の視野方向に対して個別画像を同一画面上に表示する表示パネルと該表示パネルと接続される本体部とを具備する表示装置の前記表示パネルの１つの視野方向に対して第１の検査画像（または第１の確認画像）を、別の視野方向に対して第２の検査画像（または第２の確認画像）を表示するステップと、前記１つの視野方向から表示状態を検査するステップと、前記別の視野方向から表示状態を検査するステップと、を有する表示装置の検査方法および製造方法である。本発明によれば、本体部と表示パネルを有するマルチビューディスプレイのクロストーク検査、確認、調整を簡単に行うことができ、検査工数、確認工数や調整工数（製造工数）を削減することができる。【００１３】
本発明は、複数の視野方向に対して個別画像を同一画面上に表示する表示パネルの１つの視野方向に対して第１の検査画像（または第１の確認画像）を、別の視野方向に対して第２の検査画像（または第２の確認画像）を表示するステップと、前記１つの視野方向から表示状態を検査するステップと、前記別の視野方向から表示状態を検査するステップと、を有する表示パネルの検査方法および製造方法である。本発明によれば、マルチビューディスプレイの表示パネルのクロストーク検査、確認、調整を簡単に行うことができ、検査工数、確認工数や調整工数（製造工数）を削減することができる。
【発明の効果】
【００１４】
本発明によれば、マルチビューディスプレイ表示パネル、マルチビューディスプレイ表示パネルを有する表示装置のクロストーク検査、確認、調整を簡単に行うことができ、検査工数、確認工数や調整工数（製造工数）を削減することが可能な表示装置、その検査方法およびその製造方法、並びに表示パネルの検査方法および製造方法を提供することができる。
【図面の簡単な説明】
【００１５】
【図１】図１は実施例１に係る表示装置の基本構成を説明するための図である。
【図２】図２は表示装置の車両への適用例を示す斜視図である。
【図３】図３は表示装置の構成を示す機能ブロック図である。
【図４】図４は制御部の構成を示す機能ブロック図である。
【図５】図５は第１及び第２の画質調整回路の構成を示す機能ブロック図である。
【図６】図6は画像出力部の構成を示す機能ブロック図である。
【図７】図７は表示部の断面構造を示す図である。
【図８】図８は液晶パネルの正面図である。
【図９】図９はＴＦＴ基板の回路図である。
【図１０】図１０は実施例１に係る表示装置の表示部を本体部に収めた状態での外観図である。
【図１１】図１１はクロストークを説明するための図である
【図１２】図１２は表示画面の視認方向を説明するための図である。
【図１３】図１３は実施例１に係る表示装置の検査のための表示装置の制御方法を示すフローチャートである。
【図１４】図１４は表示装置の検査を行う際、表示画面に表示される検査モードのメニュー画面の例を示した図である。
【図１５】図１５（ａ）ないし図１５（ｃ）は表示装置の検査の際に表示部に表示する画像の例を示した図である。
【図１６】図１６（ａ）は変形例に係る検査画像を示す図であり、図１６（ｂ）は検査画像を視認した場合の画像である。
【発明を実施するための最良の形態】
【００１６】
以下、本発明の実施例につき図面を参照に説明する。
【実施例１】
【００１７】
図１は実施例に係るマルチビュー表示装置の基本構成を説明するための図である。この表示装置は、図１に示すように、表示制御部１０、表示手段としての表示部１００等から構成されている。表示制御部１０は、供給源としての第１の画像ソース３００Ａから画像データＤＴ１が供給されると共に供給源としての第２の画像ソース３００Ｂから画像データＤＴ２が供給されて、これら第１及び第２の画像データＤＴ１，ＤＴ２からなる画像データＡＤＴを共通の表示部１００へ出力する。尚、表示制御部１０の具体的な構成については後述する。また、第１及び第２の画像ソース３００Ａ,３００Ｂは、後述するカメラ、ＴＶ受信部、ＤＶＤ再生部、ＨＤ再生部、ナビゲーション部等で構成される。【００１８】
表示部１００は、後述するように、液晶パネル、バックライト、視差バリア等から構成されており、第１の画像データＤＴ１に基づく第１の画像ＩＭ１を右方向から観察者ＯＢＲが視認できると共に第２の画像データＤＴ２に基づく第２の画像ＩＭ２を左方向から観察者ＯＢＬが視認できるように共通の表示画面に表示する。尚、表示部１００の具体的な構成については後述する。【００１９】
図２は実施例１に係る表示装置を車両へ適用した例を示す斜視図である。表示部１００は、図２に示すように、車両のダッシュボード部分の運転席ＤＳと助手席ＡＳとの間に配置される。また、表示部１００には、表示装置を手動で操作するための操作部１５０が設けられている。図２に示すケースにおいては、運転席ＤＳに着席した乗員が上記の観察者ＯＢＲとなり、助手席ＡＳに着席した乗員が上記の観察者ＯＢＬとなる。そして、これらの搭乗者は、それぞれ運転席ＤＳ側又は助手席ＡＳ側から表示部１００に表示された異なる第１の画像ＩＭ１及び第２の画像ＩＭ２を同時に観ることができる。【００２０】
図３ないし図９は実施例１に係る表示装置の具体的な構成を示す図であって、図３は表示装置の機能ブロック図、図４は制御部の構成を示す機能ブロック図、図５は第１及び第２の画質調整回路の機能ブロック図、図６は画像出力部の機能ブロック図、図７は液晶パネルの断面構造及び作用を説明するための図、図８は液晶パネルの正面図、及び図９はＴＦＴ基板の回路図である。【００２１】
この表示装置は、図３に示すように、表示部１００加えて、制御部２０、分配回路３０、第１及び第２の画質調整回路５０Ａ，５０Ｂ、画像出力部７０等から構成されている。尚、上記した表示制御部１０は、制御部２０、分配回路３０、第１及び第２の画質調整回路５０Ａ，５０Ｂ、画像出力部７０等から構成される。【００２２】
制御部２０は、図４に示すように、プロセッサ（ＣＰＵ）２１、インターフェース２２、ＲＯＭ２３、ＲＡＭ２４等から構成され、ＲＯＭ２３に記憶されたプログラムに従って表示装置を総合的に制御する。また、制御部２０は、後述するように、表示部１００に表示される第１の画像ＩＭ１及び第２の画像ＩＭ２の重なりにより互いに隔てられた第１の画像ＩＭ１の可視範囲と第２の画像ＩＭ１の可視範囲とを、第１の画像ＩＭ１及び第２の画像ＩＭ２の少なくとも一方の画質を調整して所定範囲になるように制御する。【００２３】
制御部２０は、図３に示すように、車両に搭載されて画像や音声を供給する供給源としての、車両の周囲等を撮像するカメラ３１０、音楽や画像を再生するＣＤ／ＭＤ（コンパクトディスク／ミニディスク）再生部３２０、アンテナからラジオ放送波を受信するラジオ受信部３３０、アンテナからセレクタ３４１を介してＴＶ放送波を受信するＴＶ受信部３４０、ＤＶＤ（ディジタルバーサタイルディスク）から音楽情報や画像を再生するＤＶＤ再生部３５０、ＨＤ（ハードディスク）に記録された画像や音楽情報を再生するＨＤ再生部３６０、ＶＩＣＳ情報受信部３７１が受信した道路情報やＧＰＳ情報受信部３７２が受信した地理情報に基づいて地図やルート案内画像を出力するナビゲーション部３７０等と接続されて、これらとの間でデータを授受すると共にこれらをコントロールする。【００２４】
また、制御部２０には、各種データを記憶する外部メモリ１４０、表示装置を操作するための操作部１５０、表示装置をリモコン操作するためのリモコン１７１との間で赤外線信号や無線信号を送受するリモコン送受信部１７０、車両に備わるライトスイッチや光センサで構成されて車両内の明るさを検知する明るさ検知センサ１９０、運転席や助手席に設けられる感圧センサ等で構成されて車両の乗員を検出する乗員検知センサ２００等が接続され、制御部２０は、これらから得られる各種データに基づいて各種制御が可能となっている。【００２５】
分配回路３０は、図３に示すように、上記したカメラ３１０、ＣＤ／ＭＤ再生部３２０、ラジオ受信部３３０、ＴＶ受信部３４０、ＤＶＤ再生部３５０、ＨＤ再生部３６０、ナビゲーション部３７０等から供給される音声データや画像データを、制御部２０からの制御指令に応じて、音声調整回路６０、第１の画質調整回路５０Ａ、あるいは、第２の画質調整回路５０Ｂへ分配する。【００２６】
音声調整回路６０は、図３に示すように、分配回路３０から供給された音声データを調整してスピーカ６１へ出力する。【００２７】
第１及び第２の画質調整回路５０Ａ，５０Ｂは、図５に示すように、それぞれコントラスト調整部５１、輝度調整部５２、色調調整部５３、ガンマ値調整部５４等から構成され、制御部２０からの制御指令に応じて、第１及び第２の画像データの画質（コントラスト、輝度、色調、ガンマ値）をそれぞれ調整する。【００２８】
画像出力部７０は、図６に示すように、第１及び第２の画質調整回路５０Ａ，５０Ｂにおいてそれぞれ画質調整された第１及び第２の画像データがそれぞれ書き込まれる第１及び第２の書込回路７１，７２、ＶＲＡＭ（Video RAM）７３、液晶パネル駆動部７４等から構成されている。第１及び第２の書込回路７１、７２は、第１及び第２の画質調整回路５０Ａ，５０Ｂで画質調整された第１及び第２の画像データを合成すべく、ＶＲＡＭ７３の所定アドレスにそれぞれ書き込む。【００２９】
ＶＲＡＭ７３は、第１及び第２の画像データを合成した画像データを保持する。この合成した画像データは、表示部１００の各画素にそれぞれ対応している。液晶パネル駆動部７４は、後述する液晶パネル１１０を駆動する回路であり、ＶＲＡＭ７３に保持されている合成画像データに基づいて、液晶パネル１１０の対応する画素を駆動する。【００３０】
表示部１００は、図３に示すように、液晶パネル１１０、液晶パネル１１０の背面側から照明光を当てるバックライト１２０、表示装置を操作する信号を入力するためのタッチパネル１３０等から構成されている。尚、タッチパネル１３０は、図示しないが、透明なシート状に形成されて液晶パネル１１０の前面に貼着される。【００３１】
液晶パネル１１０は、図７に示すように、バックライト１２０側から順に配置された、偏光板１１１、ＴＦＴ（Thin Film Transistor）基板１１２、液晶層１１３、ＲＧＢの３原色の画素をもつカラーフィルタ基板１１４、視差バリア１１５、ガラス板１１６、偏光板１１７等から構成された周知の構造を有する。【００３２】
この液晶パネル１１０は、図７及び図８に示すように、例えば、水平方向に８００画素、垂直方向に４８０画素が配列された表示画面を有すると共に、この表示画面には、水平方向において左側表示用画素１１８（以下、助手席側表示用画素１１８ともいう。）と右側表示用画素１１９（以下、運転席側表示用画素１１９ともいう。）とが交互に配列されて構成されている。【００３３】
視差バリア１１５は、図７及び図８に示すように、ストライプ状に形成されて遮蔽部と透光部を有し、その遮蔽部は隣接する左側表示用画素１１８と右側表示用画素１１９との間に配置される。視差バリア１１５をカラーフィルタ基板１１４の前面に配置することにより、左側表示用画素１１８を透過した照明光は、左側に向かう照明光のみ選択的に視差バリア１１５の透光部を通過し、右側表示用画素１１９を透過した照明光は、右側に向かう照明光のみが選択的に視差バリア１１５の透光部を通過する。これにより、図７に示すように、液晶パネル１１０の右側（運転席側）からは第１の画像ＩＭ１が視認でき、左側（助手席側）からは第２の画像ＩＭ２が視認できるようになっている。尚、視差バリア１１５は、特開平１０−１２３４６１号公報や特開平１１−８４１３１号公報等に開示されているものと同様のものを使用できる。【００３４】
ＴＦＴ基板１１２は、図９に示すように、データ線駆動回路ＤＲ１、走査線駆動回路ＤＲ２、垂直方向に配列された走査線ＳＣＬ、水平方向に配列されたデータ線ＤＴＬ、走査線ＳＣＬとデータ線ＤＴＬとの交差する領域毎に形成されたＴＦＴ素子ＥＬ、に対応して形成された画素電極ＥＰ等を備え、走査線ＳＣＬ及びデータ線ＤＴＬで囲まれた各領域がサブピクセルＳＢＰを構成しており、データ線ＤＴＬに沿う各列のサブピクセルＳＢＰは交互に左側表示用画素１１８と右側表示用画素１１９とに割り当てられる。データ線駆動回路ＤＲ１は、液晶パネル駆動部７４によりその駆動タイミングを制御されて、画素電極ＥＰへの印加電圧を制御する。走査線駆動回路ＤＲ２は、液晶パネル駆動部７４によりその駆動タイミングを制御されて、ＴＦＴ素子ＥＬを選択走査する。【００３５】
図１０は実施例１に係る表示装置の外観図である。表示装置は、表示画面１０２（表示パネル）および操作部１５０を有する表示部１００と本体部１５２を備える。なお、表示部１００は操作部１５０を備えていなくてもよい。表示部１００は、本体部１５２の前面の周囲に設けられたフレーム１５４に収められた状態で使用する。図１０のように表示部１００を斜動させることにより本体部１５２の前面を開放することができ、本体部１５２の前面にはＣＤ、ＤＶＤ等の記憶媒体やＨＤＤに対し情報の書き込みまたは読み込みを行うためのコネクタの挿抜口が設けられており、これら記憶媒体やコネクタの挿抜を操作することができる構造となっている。【００３６】
実施例１に係る表示装置を検査、確認、調整する際、検査画像（確認画像、調整画像）を表示画面上に表示する制御部２０（表示制御手段）の行う制御を説明する。まず、各検査、各確認、各調整について説明する。図７において、例えば運転席側で第１の画像ＩＭ１を観る際に、第２の画像ＩＭ２が第１の画像ＩＭ１に重なって観える。クロストークの検査、確認、調整とは、この異なる方向（例えば運転席側および助手席側）から視認したときの前記第１の画像と前記第２の画像の重なりを検査、確認、調整し、検査結果や確認結果に基づいてクロストークを調整することである。図１１は、クロストークを説明するための模式図である。横軸は表示画面１０２の正面を０°とし、各角度から表示画面１０２を観たときの表示画面１０２の輝度を表している。図１２は表示画面１０２に対する正面、運転席側３０°、助手席側３０°から表示画面１０２を観たときの位置関係を示している。図１１において、右側の曲線、左側の曲線はそれぞれ第１の画像および第２の画像の輝度である。例えば運転席側３０°では、第１の画像の輝度が大きいが、第２の画像の輝度も０ではない。これにより、運転席側３０°から観た第１の画像に第２の画像が重ねって見えることとなる。また、クロストークは、画像の輝度によっても目立ち方が異なる。例えば、自画像より相手画像の輝度が高い場合、クロストークは目だって見えることとなる。なお、上記で例示した角度に限られるものではない。【００３７】
輝度の検査、確認、調整とは、表示画面１０２の第１の画像と第２の画像の輝度を検査、確認し、検査結果や確認結果に基づいて輝度を調整するものである。色合いの検査、確認、調整とは、表示画面１０２の色が正しく表示されているかを検査、確認し、検査結果や確認結果に基づいて色合いを調整するものであり、３原色（赤、緑、青：ＲＧＢ）の各光の強度の比率を検査、確認し、検査結果や確認結果に基づいて各光の強度の比率を調整するものである。電気的特性の検査、確認、調整とは表示画面１０２に画像を表示した際、表示部１００の消費電流等の電気的特性を検査、確認し、検査結果や確認結果に基づいて電気的特性を調整するものである。デュアルモードとは、第１の画像と第２の画像に、それぞれ異なる画像を表示するモードであり、シングルモードとは第１の画像と第２の画像とを同じ画像を表示するモードである。【００３８】
図１３は実施例１に係る表示装置の制御部２０が行う検査の際の制御方法を示すフローチャートである。なお、確認や調整の際も同様の制御を行うため、検査の際の制御方法のみ説明する。まず、検査モードに移行するための所定の条件を満足するか判断する（ステップＳ８）。所定の条件を満足しなければ終了する。所定の条件を満たせばステップＳ１０に進む。【００３９】
所定の条件としては、例えば、操作部１５０またはタッチパネル１３０の所定の複数の操作スイッチが同時に押された場合、または所定の順番で操作された場合等、操作手段である操作部１５０や表示画面１０２に設けられたタッチパネル１３０等から入力された操作が、予め定められた入力操作の組み合わせと一致する場合とすることができる。このように、予め決めた所定の条件を満たした場合に、検査モードとすることにより、誤動作により検査モードとなってしまうことを防止することができる。制御部２０は、所定の条件が満された場合、後述のように各検査を行うことができる。【００４０】
制御部２０は、表示画面１０２に検査メニュー画像を表示する（ステップＳ１０）。この画像を見ながら、操作者が操作部１５０またはタッチパネル１３０を用い検査モードを選択する。図１４は表示画面１０２に表示された検査モードのメニューを表す例である。操作者が図１４の「クロストーク検査」Ｍ１を選択するとクロストーク検査を行うことができる。同様に、「輝度検査」Ｍ２、「色合い検査」Ｍ３および「電気的検査」Ｍ４を選択することにより、それぞれの検査を行うことができる。このように、制御部２０は、検査メニュー画像より選択されたメニューに基づいて後述するような各検査用画像を表示する。【００４１】
次に、制御部２０はクロクトーク検査が選択されているか判断する（ステップＳ１１）。Ｙｅｓの場合、制御部２０は表示部１００をデュアルモードとし（ステップＳ１２）、クロストーク用パターンを表示する（ステップＳ１４）。Ｎｏの場合、ステップＳ１６に進む。クロストーク検査では、制御部２０は図１５（ａ）のように、第１の画像（運転席側）が表示される領域に第１の検査画像（第１の確認画像）として黒単色画像を、第２の画像（助手席側）が表示される領域に第２の検査画像（第２の確認画像）として白単色画像を出力させる。操作者は図１２の運転席より表示部１００を見て、表示画面１０２の色を確認する。運転席より表示部１００をみると、図１１より第１の検査画像の黒単色画像に第２の検査画像の白単色画像が重なり暗いグレーとなる。このグレーの度合いを検査基準のグレーと比較することにより、クロストークに問題ないか検査する。同様に、制御部２０が第１の画像（運転席側）が表示される領域に白単色画像を、第２の画像（助手席側）が表示される領域に黒単色画像を出力させる。操作者が、助手席からグレーの度合いを検査する。このようにしてクロストークの検査を行う。なお、グレーの度合いを操作者が確認するのでなく、カメラや検知器で検出することもできる。また、無彩色ではなく有彩色のパターンや色彩の異なる模様を有するパターンを第１の画像および第２の画像に表示し、クロストーク検査を行うこともできる。【００４２】
このように、制御部２０は、クロストーク検査のために、第１の画像が表示される領域に第１の検査画像を表示させ、第２の画像が表示される領域に第２の検査画像を表示させることができる。そして、クロストーク検査として、第１の画像を視認できる方向（例えば運転席）から表示状態を検査し、第２の画像を視認できる方向（例えば助手席）から表示状態を検査する。このように検査を行うことにより、簡単にクロストーク検査を行うことができ、検査工数を削減することができる。【００４３】
また、制御部２０は、クロストーク検査のために、第１の画像が表示される領域に第１の検査画像として黒単色画像を表示させ、第２の画像が表示される領域に第２の検査画像として白単色画像を表示させていたが、第１の検査画像として単色画像を表示し、第２の検査画像として第１の検査画像とは異なる単色画像を表示させてもよい。【００４４】
さらに、制御部２０は、クロストーク検査のために、第１の画像が表示される領域に第１の検査画像として単色画像を表示させ、前記第２の検査画像として３原色（赤、緑、青）の各色の単色画像が順次切り替えて表示させることもできる。これにより、各３原色についてクロストーク検査を行うと共に各画素の検査も行うことができる。【００４５】
さらに、制御部２０は、クロストーク検査のために、第１の検査画像として、図７に示したナビゲーション部３７０からのナビゲーション画像を表示させ、第２の検査画像としてナビゲーション画像と異なる比較的明るい画像（例えば、ＤＶＤ画像、テレビ画像、ビデオ画像等）を表示させることができる。これにより、ナビゲーション画像のように比較的暗い画像と、比較的明るい画像のように実際使用される画像を用いクロストーク検査を行うことができる。【００４６】
図１６（ａ）は、制御部２０がクロストーク検査のため表示させる画像の変形例を示している。第１の検査画像として黒単色画像、第２の検査画像として黒単色画像上を白い検査用図形が白矢印のように移動する画像（映像）を表示させる。運転席側から表示部１００を視認すると図１６（ｂ）のように、黒単色画像上をグレーの検査用図形が移動しているように見える。このように、検査用図形を動かす（つまり動画とする）ことにより、検査用図形の視認が容易となる。また、検査用図形周辺部は第１の検査用画像と第２の検査用画像が同じ単色画像のため、クロストークがなく、検査用画像周辺部と検査用図形との比較が容易となる。本変形例は黒単色画像に白い検査用図形を用いたが、他の無彩色あるいは有彩色を用いることができる。例えば、有彩色とその捕色とを用いることもできる。このように、制御部２０は、クロストーク検査のため、第１の検査画像として単色画像を表示させ、第２の検査画像として第１の検査画像と同じ単色画像上に異なる色の図形が表示された動画を表示させることもできる。【００４７】
次に、図１３において、制御部２０は輝度検査が選択されているか判断する（ステップ１６）。Ｙｅｓの場合、制御部２０は表示部１００をデュアルモードとし（ステップＳ１８）、輝度検査用パターンを表示する（ステップＳ２０）。Ｎｏの場合、ステップＳ２２に進む。輝度検査では、制御部２０は図１５（ａ）と同様に第１の画像（運転席側）が表示される領域に黒単色画像、第２の画像（助手席側）が表示される領域に白単色画像を表示させる。操作者は図１２の運転席より表示部１００の輝度を測定する。同様に、制御部２０が第１の画像（運転席側）が表示される領域に白単色画像、第２の画像（助手席側）が表示される領域に黒単色画像を表示させる。操作者が、助手席から輝度を測定する。このようにして輝度検査を行う。実施例１では、制御部２０はクロストーク検査と輝度検査で同じ画像を表示させているが異なっていてもよい。【００４８】
次に、図１３において、制御部２０は色合い検査が選択されているか判断する（ステップ２２）。Ｙｅｓの場合、制御部２０は表示部１００をシングルモードとする（ステップＳ２４）、色合い検査用パターンを表示する（ステップＳ２６）。Ｎｏの場合、ステップＳ２８に進む。色合い検査では、制御部２０は図１５（ｂ）のように第１の画像（運転席側）が表示される領域と第２の画像（助手席側）が表示される領域に同じ画像を表示させる。例えば赤等の有彩色を表示させる。操作者は、図１２の正面より表示部１００を視認し、表示部１００の色合いが検査基準の色合いか検査する。なお、色合いを操作者が確認するのでなく、カメラや検知器で検出することもできる。また、色彩の異なる模様を有する色合い検査用パターンを表示し、色合い検査を行うこともできる。【００４９】
次に、図１３において、制御部２０は電気的検査が選択されているか判断する（ステップ２８）。Ｙｅｓの場合、制御部２０は表示部１００をシングルモードとする（ステップＳ３０）、電気的検査用パターンを表示する（ステップＳ３２）。Ｎｏの場合、検査モードを終了する。電気的検査では、制御部２０は図１５（ｃ）のように第１の画像（運転席側）が表示される領域と第２の画像（助手席側）が表示される領域に同じ画像を表示させる。操作者は、表示部１００の消費電流等の電気的特性を検査する。【００５０】
クロストーク検査は第１の画像と第２の画像との重なりを検査するものであるからデュアルモードで行うことが好ましい。輝度検査はシングルモードでは表示画面１０２の正面またはその他の一方向から検査することも可能である。しかし、図７の視差バリア１１５とカラーフィルタ基板１１４の位置関係がずれるなどした場合、第１の画像と第２の画像で輝度が異なることがある。そこで、実施例１のようにデュアルモードで検査することが好ましい。【００５１】
表示画面１０２の色合いは、３原色の各色の強度の比率で決まる。よって、例えば視差バリア１１５とカラーフィルタ基板１１４の位置関係がずれた場合も第１の画像と第２の画像で色合いが異なることがない。そこで、色合い検査はシングルモードで表示画面１０２の正面またはその他の方向から検査することが好ましい。シングルモードで検査することにより、デュアルモードで検査するのに比べ、１方向からの検査で行うことができ、検査回数を減らし検査工数を削減することができる。電気的特性は、例えば視差バリア１１５とカラーフィルタ基板１１４の位置関係がずれた場合も変わらない。そこで、電気的検査はシングルモードで検査することが好ましい。これにより、第１の画像と第２の画像の２回検査を行う必要が無く、検査工数を削減することができる。同様な理由により、色調、コントラストまたはガンマ値の設定を変え、画像の色調、コントラストまたはガンマ値が変わるかを調べる検査も、シングルモードでの検査が好ましい。【００５２】
このように、表示パネルや表示パネルを有する表示装置において、制御部２０（表示制御手段）は、デュアルモードでの検査が必要または好ましい検査（第１の検査）を行う場合、第１の画像が表示される領域と第２の画像が表示される領域に異なる画像を表示させ、デュアルモードでの検査が必要ない検査（第２の検査）を行う場合、第１の画像が表示される領域と第２の画像が表示される領域に同じ画像を表示させる。これにより、デュアルモードでの検査を必要としない検査をシングルモードで行うため検査工数を削減することが可能となる。【００５３】
なお、実施例１においては、表示装置内で検査用の検査画像を生成したが、外部に検査画像出力装置を設け、その画像信号（第１の検査画像、第２の検査画像）を表示装置の画像入力端子に入力する構成で実現することもできる。また、前述のように、製造工程での表示装置の性能を確認、調整する場合も検査画像と同様の確認画像を表示させることにより表示装置の確認、調整を行うこともできる。さらに、表示パネル１０２がフレームに組み付けられていない状態で、表示パネル１０２の検査や確認や調整する際には、制御部２０を備えた検査用装置、確認用装置や調整用装置等を設け、該装置から出力される画像信号を表示パネル１０２に与えるようにすることで、表示パネル１０２の検査、確認や調整を実現することができる。【００５４】
本発明の実施例について詳述したが、本発明は係る特定の実施例に限定されるものではなく、特許請求の範囲に記載された本発明の要旨の範囲内において、種々の変形・変更が可能である。
【図１】
2007034611.tif 000002
【図２】
2007034611.tif 000003
【図３】
2007034611.tif 000004
【図４】
2007034611.tif 000005
【図５】
2007034611.tif 000006
【図６】
2007034611.tif 000007
【図７】
2007034611.tif 000008
【図８】
2007034611.tif 000009
【図９】
2007034611.tif 000010
【図１０】
2007034611.tif 000011
【図１１】
2007034611.tif 000012
【図１２】
2007034611.tif 000013
【図１３】
2007034611.tif 000014
【図１４】
2007034611.tif 000015
【図１５】
2007034611.tif 000016
【図１６】
2007034611.tif 000017
【国際調査報告】
2007034611.tif 000018
2007034611.tif 000019
2007034611.tif 000020
2007034611.tif 000021